(57)【特許請求の範囲】
【請求項１】
メモリー性の表示手段と、
前記表示手段を制御する制御手段と、
温度を検出する温度検出手段と、を含み、
前記制御手段は、
前記表示手段の表示モードが通常表示を行う通常表示モードであるときに、前記温度検出手段が所与の設定温度範囲よりも高い温度を検出した場合に、前記表示モードを前記通常表示モードから前記通常表示を行わない理由を所定の視覚表現によって表示する高温表示モードへ切り替える制御と、
前記表示モードが前記高温表示モードに切り替えられてから所与の時間が経過した場合に、前記表示モードを前記高温表示モードから前記表示手段の全面を単一色で表示する表示停止モードへ切り替える制御と、
を行う、電子時計。
【請求項２】
請求項１に記載の電子時計において、
前記制御手段は、前記表示停止モードにおいて、前記単一色を前記表示手段に表示させた後に、前記表示手段の表示の更新を停止する制御を行う、
電子時計。
【請求項３】
請求項１または２に記載の電子時計において、
操作を受け付ける受付手段をさらに含み、
前記受付手段は、
前記表示モードが前記通常表示モードである場合には、所与の操作を受け付ける処理を行い、
前記表示モードが前記高温表示モードまたは前記表示停止モードである場合には、前記所与の操作を受け付ける処理を行わない、
電子時計。
【請求項４】
請求項１乃至３のいずれか１項に記載の電子時計において、
前記表示手段は、
少なくとも第１色、第２色及び前記第１色と前記第２色との中間色を表示可能であり、
前記制御手段は、
前記高温表示モードにおいて、前記中間色を用いて前記表示手段に前記所定の視覚表現を表示させる、
電子時計。
【請求項５】
請求項４に記載の電子時計において、
前記表示手段は、
前記高温表示モードにおいて、前記温度検出手段が検出した温度に応じて、前記所定の視覚表現に用いる前記中間色の階調を調整する、
電子時計。
【請求項６】
請求項１乃至３のいずれか１項に記載の電子時計において、
前記表示手段は、
少なくとも第１色及び第２色を表示可能であり、
前記制御手段は、
前記表示モードが前記高温表示モードであるときに、所与の復帰条件を満たした場合に、最初に前記第１色、次に前記第２色を前記表示手段の全面に表示させた後に前記表示モードを前記通常表示モードに切り替える、
電子時計。
【請求項７】
請求項６に記載の電子時計において、
前記復帰条件は、
前記温度検出手段が、前記設定温度範囲に含まれかつ温度範囲が前記設定温度範囲よりも狭い復帰温度範囲内の温度を検出することである、
電子時計。
【発明の詳細な説明】
【技術分野】
【０００１】
本発明は、電子時計等に関する。
【背景技術】
【０００２】
近年、電源を切っても画像を保持できるメモリー性を有する表示パネルが開発され、電子時計等にも使用されている。メモリー性を有する表示パネルとしては、ＥＰＤ（Electro Phoretic Display）すなわち電気泳動表示装置や、メモリー性液晶表示装置等が知られている。
【０００３】
メモリー性を有する表示パネルに時刻を表示する電子時計の場合、一般に安定した性能を維持できる使用温度範囲（例えば−１０℃〜６０℃）が定められている。特許文献１の発明は、冷却ファンや加熱ヒーターを設けて強制的に温度制御を行うことによって、使用温度範囲外での使用を回避する。
【先行技術文献】
【特許文献】
【０００４】
【特許文献１】特開２００５−２０２２５１号公報
【発明の概要】
【発明が解決しようとする課題】
【０００５】
しかし、電子時計のように電池で駆動される製品において、消費電力の高い冷却ファン等を付加することは現実的ではない。また、冷却ファンのような部品の追加は製造コスト上昇という問題も生じ得る。よって、電子時計が使用される環境の温度（使用環境温度）が使用温度範囲外になった場合に警告を表示するなどの機能が求められる。
【０００６】
例えば図９（Ａ）は、従来の電子時計１００が使用温度範囲を越える高温で使用されて、「ＴＯＯ  ＨＯＴ！６０℃以下でご使用ください」という警告文を含む表示５００Ｘが表示パネル３００に継続して表示されている状態を示す。警告文によりユーザーは状況を把握し、使用環境温度を下げるなどの対応をとることができる。
【０００７】
しかし、一般に使用温度範囲より高温の環境下では、前記警告文のような固定パターンの表示によって比較的短時間であっても焼き付きを生じ得る。そして、固定パターンが長時間又は繰り返し表示された場合には、電荷負荷の残留が固定化して残像が常時視認されることとなり、製品の品質上の問題を生じ得る。
【０００８】
例えば図９（Ｂ）はこのような問題を生じた場合の例である。図９（Ｂ）では、通常表示として現在時刻が黒色で１０：１０と表示されているが、前記警告文も薄い灰色で残像として視認されてしまっている（５００Ｙ）。
【０００９】
そこで、電子時計が使用温度範囲外の環境下に置かれた場合には、直ちに表示パネルを単一色表示にする手法が考えられる。例えば、図９（Ｃ）は単一色表示５００Ｚの例である。一切の固定パターンを表示しないことで焼き付きを防止することができる。
【００１０】
しかし、単一色表示が継続する場合には、時刻表示がされないため電子時計としての基本機能が失われてしまうとの問題が生じる。また、ユーザーにとっては、単一色表示となった理由が、使用温度範囲外であるためか、電池が消耗したためか、故障によるものか等の区別がつかないという問題が生じ得る。
【００１１】
本発明はこのような問題点に鑑みてなされたものである。本発明のいくつかの態様によれば、電子時計が設定温度範囲外で使用される場合等に、ユーザーに対して電子時計が通常表示を行わない理由を適切な表示により知らせて、状況に応じた焼き付き防止の表示制御や入力制御を行う電子時計を提供することができる。
【課題を解決するための手段】
【００１２】
（１）本発明は、メモリー性の表示手段と、前記表示手段を制御する制御手段と、温度を検出する温度検出手段とを備える電子時計であって、前記制御手段は、前記表示手段の表示モードを、通常表示を行う第１モードと、前記通常表示を行わない理由を第１の視覚表現によって表示する第２モードとに切り替える表示モードの切り替え制御を行い、前記第１モードから前記第２モードへの表示モードの切り替え制御は、前記第１モード時において、前記温度検出手段が所与の設定温度範囲未満の温度を検出した場合に行い、前記第２モード時において、前記第１の視覚表現に加えて、前記通常表示のうち一部の表示を継続して前記表示手段に表示させる第１の視覚表現表示処理を行う。
【００１３】
本発明に係る電子時計は、電子時計としての利便性と焼き付けによる品質上の問題の双方を考慮した適切な制御を行う。
【００１４】
まず、設定温度範囲（例えば−１０℃〜６０℃）より低温の環境下では、コントラストの低下はあり得るが焼き付きを生じる可能性は低く、同環境下で単一色表示を行うことは利便性の面から得策ではない。
【００１５】
そこで、本発明に係る電子時計は、設定温度範囲よりも低温の環境下では、通常表示を行わない理由（低温である旨）をユーザーに示しつつ、かつ、通常表示のうち一部の表示を継続する。このとき、理由を明示することで電子時計が故障のために通常表示を行っていないとユーザーが誤解することを回避し、通常表示の一部の表示を継続することで時計としての利便性を向上させる。
【００１６】
ここで、第１モードの通常表示とは、少なくとも時刻表示を含む表示をいう。電子時計の表示モードは、通常は第１モードである。なお、メモリー性の表示装置では、前記時刻表示の各時刻情報（例えば時や分）の更新時のみ表示装置を作動し、次に更新されるまでは電力を供給せずにその表示を継続できる。従って、一般的な液晶表示装置のように、表示を維持する場合にも電力供給が必要な表示装置を用いる場合に比べて、メモリー性の表示装置を用いることで消費電力を大幅に低減できる。
【００１７】
本発明の表示モードは、時計の温度が設定温度範囲よりも低温となったことを温度検出手段が検出することで第１モードから第２モードへと移行する。なお、設定温度範囲とはいわゆる電子時計の使用温度範囲であってもよいし、別の基準で選択された温度範囲であってもよい。また、設定温度範囲は、例えば予め固定的に設定されていてもよいし、環境に応じて又は操作により変動するものであってもよい。
【００１８】
第２モードにおいて、制御手段は表示手段に視覚表現を表示させて低温状態であることを示す。この視覚表現は、文字、メッセージ、画像、図形、模様、色彩、記号等のいずれか、又はこれらの組み合わせであってもよい。なお、表示手段はメモリー性を有しているので、低温状態の表示については電力供給が無くても表示し続けることができる。この視覚表現の表示により、ユーザーは電子時計が設定温度範囲未満の低温環境下にあることを容易に把握でき、その状態を解消するために適切な対応、例えば暖かい室内への移動等を行うことができる。
【００１９】
本発明の第２モードにおいては、前記通常表示のうち一部の表示を継続する。例えば、時刻が専らメモリー性の表示手段に示される電子時計（デジタル時計）においては、第２モードに移行した場合に時刻表示までも停止すると電子時計としての基本機能が失われる。この例においては、通常表示の一部である時刻表示を第２モードでも継続して表示すれば、電子時計としての基本機能を保つことができユーザーにとって利便性が向上する。なお、時刻表示に加えてアラームのオン、オフを知らせる視覚表現（アラーム表示）の継続表示やバッテリー残量を示す視覚表現（バッテリー表示）の継続表示をおこなってもよい。このことにより、さらに利便性が向上する。
【００２０】
（２）この電子時計において、操作を受け付ける受付手段を含み、前記受付手段は、前記第１モード時において、所与の操作を受け付ける処理を行い、前記第２モード時において、前記所与の操作を受け付ける処理を行わなくてもよい。
【００２１】
本発明によれば、通常表示を行う第１モード時において受付手段に対する所与の操作を、第２モード時においては無効とすることでユーザーに故障との誤解を与えることを回避できる。ここで、第１モード時において受け付け手段が所与の操作を受け付けた場合には、例えば、制御手段が現在の表示内容から表示態様を変更させてもよいし、ランプが点灯・消灯してもよいし、アラーム試聴の禁止などの機能設定がされてもよい。
【００２２】
例えば、ユーザーが第１モードのような表示態様の変更を求めた場合、設定温度範囲よりも低温の環境下では表示画面の再描画が極端に遅いために、かえってユーザーに故障であるとの誤解を与えるおそれがある。よって、第２モード時においては第１モード時に行う表示態様の変更はせずに、第１の視覚表現に加えて通常表示の一部を表示手段に表示させる第１の視覚表現表示処理を継続させる。このことにより、ユーザーに誤解を生じさせないようにできる。
【００２３】
具体例として、特定のボタンを押すことにより、設定温度範囲内の環境下では１秒でワールドタイムの都市設定の切り替えが可能であるところ、設定温度範囲よりも低温の環境下で３０秒かかるとすればユーザーは故障との疑念を抱く可能性が高い。よって、前記特定のボタンが押されても、第２モード時には第１の視覚表現表示処理を継続させる方がユーザーにとっても好ましい。
【００２４】
（３）この電子時計において、前記制御手段は、前記表示手段の表示モードを、さらに前記通常表示を行わない理由を第２の視覚表現によって表示する第３モードと、前記表示手段の全面を単一色で表示する第４モードとに切り替える表示モードの切り替え制御を行い、前記第１モードから前記第３モードへの表示モードの切り替え制御は、前記第１モード時において、前記温度検出手段が前記設定温度範囲より高い温度を検出した場合に行い、前記第３モードから前記第４モードへの表示モードの切り替え制御は、前記第３モード時において、前記表示モードが前記第３モードに移行してから所与の時間経過後に行い、前記第３モード時において、前記第２の視覚表現を前記表示手段に表示させる第２の視覚表現表示処理を行い、前記第４モード時において、前記単一色を前記表示手段に表示させた後にその表示の更新を停止する単一色表示処理を行ってもよい。
【００２５】
本発明によれば、例えば予め設定された設定温度範囲よりも高温の環境下で、通常表示を行わない理由（高温である旨）をユーザーに示して適切な対応を促し、一定時間の経過後に、単一色を表示手段に表示させてその表示の更新を停止する表示モードへと移行する。このことにより、電子時計が故障のために通常表示を行わないとユーザーが誤解することを回避しつつ、一定時間経過後には単一色表示を行うので表示手段の焼き付きを防止することができる。
【００２６】
設定温度範囲よりも低温の場合のみならず、同温度範囲よりも高温の環境下においても適切な情報の提供や表示制御を行うことによって、電子時計の品質の劣化を防ぐことができる。
【００２７】
（４）この電子時計において、前記受付手段は、前記第３モードおよび前記第４モードのうち少なくとも一つのモード時において、前記所与の操作を受け付ける処理を行わなくてもよい。
【００２８】
本発明によれば、通常表示を行う第１モードにおいて現在の表示内容から表示態様を変更させる等の受付手段に対する所与の操作を、第３、第４モード時においては無効とすることで早期に第４モードに移行させて、又は第４モードの状態を維持させて、表示画面に焼き付きが生じることを防止することができる。
【００２９】
設定温度範囲よりも高温の環境下では、品質保持の側面から、受付手段に対する所与の操作に従うよりも表示画面の焼き付きの防止を優先させる必要がある。よって、第４モード時においては第１モード時に行う表示形式の変更等はせずに、単一色表示処理を継続させる。また、第３モード時においても、第２の視覚表現表示処理の終了後に速やかに第４モードに移行させる。このことにより、電子時計の表示部における品質劣化を防ぐことができる。
【００３０】
（５）この電子時計において、前記制御手段は、前記表示手段の表示モードを、さらに前記表示手段の全面を単一色で表示する第４モードに切り替える表示モードの切り替え制御を行い、前記第１モードから前記第４モードへの表示モードの切り替え制御は、前記第１モード時において、前記温度検出手段が前記設定温度範囲より高い温度を検出した場合に行い、前記第４モード時において、前記単一色を前記表示手段に表示させた後にその表示の更新を停止する単一色表示処理を行ってもよい。
【００３１】
本発明によれば、例えば予め設定された設定温度範囲よりも高温の環境下では、直ちに単一色を表示手段に表示させてその表示の更新を停止する表示モードへと移行する。このことにより、表示手段の焼き付きを防止することができる。
【００３２】
警告表示を含めて固定パターンの表示をすることなく、直ちに単一色表示に移行することで、表示手段の焼き付きが生じる可能性を低くする。
【００３３】
（６）この電子時計において、前記受付手段は、前記第４モード時において、前記所与の操作を受け付ける処理を行わなくてもよい。
【００３４】
本発明によれば、通常表示を行う第１モードにおいて現在の表示内容から表示態様を変更させる等の受付手段に対する所与の操作を、第４モード時においては無効とすることで第４モードの状態を維持させて、表示画面に焼き付きが生じることを防止することができる。
【００３５】
設定温度範囲よりも高温の環境下では、品質保持の側面から、受付手段に対する所与の操作に従うよりも表示画面の焼き付きの防止を優先させる必要がある。よって、第４モード時においては第１モード時に行う表示形式の変更等はせずに、単一色表示処理を継続させる。
【００３６】
（７）この電子時計において、前記制御手段は、前記第２モード時において、前記一部の表示として時刻表示を行ってもよい。
【００３７】
本発明によれば、予め設定された設定温度範囲よりも低温の環境下でも、時刻表示を継続してユーザーに示すため、電子時計としての基本機能を失うことがない。
【００３８】
（８）この電子時計において、前記表示手段は、少なくとも第１色、第２色及び前記第１色と前記第２色の中間色を表示可能であり、前記制御手段は、前記第３モード時において、前記第２の視覚表現を前記中間色により前記表示手段に表示させてもよい。
【００３９】
本発明によれば、設定温度範囲よりも高温の環境下で、高温である旨をユーザーに示す第２の視覚表現を中間色で表示することで、第２の視覚表現自体が焼き付きの原因となる恐れを低減させる。設定温度範囲よりも高温の環境下では表示手段の焼き付きが生じやすいため、あえて、コントラストの低い表示（中間色による表示）を行うことで電荷負荷の残留を生じにくくする。
【００４０】
ここで、第１色と第２色とは、ＥＰＤ等のメモリー性の表示手段が最低限表示可能な基本色である２色である。例えば、二粒子系マイクロカプセル型の電気泳動方式では、分散液は無色透明、泳動粒子は白色又は黒色のものがある。この方式の電気泳動表示部は、白色又は黒色の２色を基本色として少なくとも２色を表示可能である。第１色として泳動粒子の一の色である黒色を割り当て、第２色として白色を割り当ててもよい。このとき、中間色は灰色となる。なお、中間色は一つの階調に限らず、複数の階調であってもよい。
【００４１】
（９）この電子時計において、前記表示手段は、少なくとも第１色及び第２色を表示可能であり、前記制御手段は、前記第２モード時において、所与の復帰条件を満たした場合に、最初に前記第１色、次に前記第２色を前記表示手段の全面に表示させた後に第１モードに切り替える表示モードの切り替え制御を行ってもよい。
【００４２】
本発明によれば、制御手段は、所与の復帰条件、すなわち通常表示を行い得る条件が整った場合に第１モードへの切り替えを行うが、その通常表示の前に前記表示手段の全面を第１色にした後、第２色にする初期化動作を行ってもよい。
【００４３】
本発明によれば、初期化動作として、第１モードへの切り替えを行う前に例えば全面を黒にした後に全面を白とする制御を行う。初期化動作を行うことで、第２モードの表示において、例えばコントラストが低下していたり、残像・焼き付きを生じ得る表示がされていたりしても、これらの影響等を受けずに通常表示を行うことができる。なお、この例において、初期化動作として全面を白にした後に全面を黒とする制御を行ってもよい。
【００４４】
（１０）この電子時計において、前記制御手段は、前記温度検出手段が、前記設定温度範囲に含まれかつ前記設定温度範囲よりも狭い温度範囲を有する復帰温度範囲内の温度を検出することを前記所与の復帰条件としてもよい。
【００４５】
本発明によれば、他の表示モードから第１モードへ復帰する温度を設定温度範囲よりも狭い復帰温度範囲内の温度とすることで、温度検出手段が設定温度範囲の境界値付近の温度を検出した場合にも表示モード間で遷移を繰り返すことを回避し、安定した画面表示を行わせることが可能になる。
【図面の簡単な説明】
【００４６】
【図１】図１（Ａ）、図１（Ｂ）、図１（Ｃ）、図１（Ｄ）は第１実施形態における電子時計の表示例を示す図。
【図２】図２（Ａ）は第一実施形態における表示モードの切り替えを示す状態遷移図。図２（Ｂ）は第１モードにおけるサブモードの切り替えを示す状態遷移図。
【図３】第１実施形態における電子時計のブロック図。
【図４】第１実施形態における制御のフローチャート図。
【図５】第１実施形態の変形例における制御のフローチャート図。
【図６】図６（Ａ）は第１実施形態における第１モードでのＢボタンの機能例を示す図。図６（Ｂ）は第１実施形態における第２モードでのＢボタンの機能例を示す図。図６（Ｃ）は第１実施形態における第３モードでのＢボタンの機能例を示す図。
【図７】第１実施形態における外部入力があった場合の制御のフローチャート図。
【図８】第２実施形態における電子時計の表示例を示す図。
【図９】図９（Ａ）、図９（Ｂ）、図９（Ｃ）は従来の電子時計の表示例を示す図。
【図１０】図１０（Ａ）、図１０（Ｂ）、図１０（Ｃ）は第１実施形態の別の変形例における電子時計の表示例を示す図。
【発明を実施するための形態】
【００４７】
以下、本発明の実施形態について図面を参照して説明する。なお、第２実施形態以降の説明において、第１実施形態と同様の構成については、同一符号を付し、説明を省略する。
【００４８】
１．第１実施形態
本発明の第１実施形態について図１〜図７を参照して説明する。
【００４９】
１．１．電子時計による表示
１．１．１．電子時計の外観
図１（Ａ）〜図１（Ｄ）は、本実施形態の電子時計１の正面図である。本実施形態において電子時計１は、ＥＰＤ（電気泳動表示装置）３に、表示モードに応じた表示を行っている。
【００５０】
本実施形態では表示モードは第１モード〜第４モードまでの４つであるが、第３モードと第４モードはなくてもよいし本実施形態と異なる表示モードであってもよい。なお、第３モードと第４モードのない本実施形態の変形例については、後にフローチャート（図５）を用いて説明する。
【００５１】
図１（Ａ）の表示５Ａは第１モードの表示例であり、図１（Ｂ）の表示５Ｂは第２モードの表示例である。そして、図１（Ｃ）の表示５Ｃは第３モードの表示例であり、図１（Ｄ）の表示５Ｄは第４モードの表示例である。ここで、図１（Ａ）〜図１（Ｄ）の表示５Ａ〜５Ｄは物理的に同一のＥＰＤ３に表示される。
【００５２】
図１（Ａ）〜図１（Ｄ）において、電子時計１のＥＰＤ３はケース２にはめ込まれている。また、ケース２には、操作を受け付ける受付手段として、ボタン６が設けられている。本実施形態ではボタンＡ〜ボタンＣの３つのボタンが備わっているが、いくつボタンがあってもよいし、無くてもよい。本実施形態において、ボタンＡ、ボタンＢ、ボタンＣからなるボタン６は、操作を受け付ける受付手段として機能する。例えば、ユーザーがボタンＡを押すことで電子時計１の各種モードが選択されて、ボタンＢ、ボタンＣによって文字や数値等がそれぞれ順方向、逆方向に変化してもよい。
【００５３】
なお、電子時計１は乾電池等の一次電池を動力源としてもよいし、図外に発電手段として機能する太陽電池を有していてもよい。さらに太陽電池が光を受光して発電し、発生した電力を二次電池に充電してから動力源に用いてもよい。
【００５４】
１．１．２．通常表示（第１モード）
通常、電子時計１の表示モードは、図１（Ａ）に示すように時刻情報などの通常表示５Ａを行う第１モードである。本実施形態では、通常表示５Ａとしてワールドタイム（ＬＯ
ＮＤＯＮ  ０１：１０）、時刻（１０：１０）、キーガイダンス（ＭＯＤＥ  ▲  ▼）を表示する。なお、通常表示の内容はこの組み合わせに限られるものではない。例えば、他にもアラーム時刻や現在選択されている機能を表すアイコンなどを表示してもよい。第１モードにおいてＥＰＤ３に表示される時刻情報の表示は１分又は１時間毎に更新される。また、必要に応じてコントラストを保つリフレッシュ動作や、ＤＣバランスを保つための書き換え（例えば表示の反転）等も行われる。
【００５５】
電子時計１は、時計の温度を検出する温度検出手段（図外）を備える。温度検出手段が予め設定された設定温度範囲内の温度を検出している場合には、電子時計１の表示モードは第１モードのままである。ここで、設定温度範囲とは、例えば電子時計１が安定した性能を維持できる使用温度範囲であってもよい。本実施例では、設定温度範囲は−１０℃〜６０℃であるとする。
【００５６】
１．１．３．低温警告表示（第２モード）
しかし、温度検出手段が設定温度範囲未満の温度を検出した場合には、電子時計１の表示モードは温度が−１０℃未満であることを警告する表示を行う第２モードに移る（Ｃ１）。そして、第２モードにおいて、予め設定された設定温度範囲内の温度を検出すること等の復帰条件を満たせば第１モードに遷移する（Ｃ２）。以下、第２モードについて詳細を述べる。
【００５７】
図１（Ｂ）に示すように、本実施形態では、第２モードにおいて設定温度範囲未満の温度であるために通常表示が行われないことを示す第１の視覚表現（ＴＯＯ  ＣＯＬＤ！  −１０℃以上でご使用ください）を含む表示５ＢがＥＰＤ３に表示される。ユーザーは、第１の視覚表現を見て、電子時計１を暖かい場所に移動させるなどの適切な対応をとることができる。なお、第１の視覚表現はメッセージなどに限らず、アイコンなどの図形で表現されてもよい。
【００５８】
このとき、メモリー性の表示装置であるＥＰＤ３は、駆動信号（制御信号）の入力がなくても第１の視覚表現を表示し続けられる。具体的には、ＥＰＤ３の駆動電極（例えば、画素電極やセグメント電極）および共通電極に電圧を印加せず、ハイインピーダンス状態のままにしておいても、前記視覚表現はＥＰＤ３に表示され続ける。よって、第１モードに復帰（Ｃ２）するまで第１の視覚表現が長時間継続して表示されても、消費電力を低く抑えることができる。なお、第２モードは設定温度範囲未満の低温下であるため、一般に第１の視覚表現によって焼き付きを生じる可能性は低い。
【００５９】
本実施形態において、表示５Ｂは第１モードから継続して時刻表示（１０：１０）も行う。すなわち、第２モードでも電子時計の基本機能である時刻表示は継続して行われる。このことにより、電子時計としての基本機能を保つことができ利便性が向上する。
【００６０】
電子時計１の表示モードが第２モードにある場合に、例えば温度検出手段が予め設定された設定温度範囲内の温度を検出することを復帰条件として第１モードに遷移してもよい（Ｃ２）。このとき、温度検出手段が−１０℃付近の温度を検出している場合に、第１モードと第２モードの間を頻繁に遷移する可能性がある。そのため、復帰条件のしきい値温度を設定温度範囲の下限値よりも高い温度（例えば−５℃）とすることで、電子時計１の表示モードが安定して遷移するようにしてもよい。
【００６１】
１．１．４．高温警告表示（第３モード）
さらに、電子時計１は温度検出手段が設定温度範囲より高い温度を検出した場合に、第１モード以外の表示モード（本実施形態では第３モード、第４モード）に変化してもよい。概略を述べると、温度検出手段が設定温度範囲より高い温度を検出した場合、電子時計
１の表示モードは温度が６０℃より高いことを警告する第３モードに移る（Ｃ３）。そして、第３モードにおいて一定時間が経過するとＥＰＤ３の焼き付き防止のために単一色表示を行う第４モードに移る（Ｃ４）。なお、第４モードにおいて、予め設定された設定温度範囲内の温度を検出すること等の復帰条件を満たせば第１モードに遷移する（Ｃ５）。設定温度範囲よりも低温の場合と高温の場合とで、特にＥＰＤ３に対する環境の影響が異なるので、表示モードをそれぞれに対応させて用意することは電子時計１の品質保持の側面からは好ましい。
【００６２】
図１（Ｃ）に示すように、第３モードにおいては、設定温度範囲より高い温度であるために通常表示が行われないことを示す第２の視覚表現（ＴＯＯ  ＨＯＴ！  ６０℃以下でご使用ください）を含む表示５ＣがＥＰＤ３に表示される。ユーザーは、第２の視覚表現を見て、電子時計１を涼しい場所に移動させるなどの適切な対応をとることができる。なお、第２の視覚表現はメッセージなどに限らず、アイコンなどの図形で表現されてもよい。
【００６３】
このとき、ＥＰＤ３は駆動信号（制御信号）の入力がなくても第２の視覚表現を表示し続けられることは第２モードの場合と同じである。しかし、第１モードに復帰（Ｃ５）するまで第２の視覚表現が長時間継続して表示されると、設定温度範囲より高い高温環境下にあるため、第２の視覚表現によって焼き付きが生じる恐れがある。そこで本実施形態では、電子時計としての利便性よりもＥＰＤ３の焼き付き防止（品質保証）を優先させて、第３モードに移って所与の時間（例えば１分）経過後に単一色表示５Ｄを行う第４モードに移る（Ｃ４）。
【００６４】
なお、図１（Ｃ）では第２の視覚表現は白色を背景とした黒色のメッセージであるが、中間色である灰色によって同メッセージが表示されていてもよい。中間色（灰色）による表示を行うことで電荷負荷の残留を生じにくくし、第２の視覚表現によって焼き付きが生じる恐れをさらに低減させることができる。なお、中間色の階調は、例えば視認性が失われない範囲で一の階調を選択してもよいし、状況（温度変化）に応じて調整されてもよい。電子時計１が使用される環境の温度が急激に上昇した場合（例えば８０℃）には、視認性よりもＥＰＤ３の焼き付き防止（品質保証）を優先させて、背景色に近い階調の中間色によって同メッセージが表示されるようにしてもよい。
【００６５】
１．１．５．単一色表示（第４モード）
図１（Ｄ）に示すように、第４モードにおいてはＥＰＤ３の全面を単一色で表示する。その後は駆動信号（制御信号）の入力がなくても単一色表示を継続できる。すなわち、電子時計１は、電力を消費することなく、単一色表示を保つことができる。このとき、ＥＰＤ３の同一位置に固定パターンのメッセージ等を表示することはないため、表示モードが長時間第４モードであっても画面の焼き付きを生じることはない。
【００６６】
電子時計１の表示モードが第４モードにある場合に、例えば温度検出手段が予め設定された設定温度範囲内の温度を検出することを復帰条件として第１モードに遷移してもよい（Ｃ５）。このとき、温度検出手段が６０℃付近の温度を検出している場合に、第１モード、第３モード、第４モードの間を頻繁に遷移する可能性がある。そのため、復帰条件のしきい値温度を設定温度範囲の上限値よりも低い温度（例えば５５℃）とすることで、電子時計１の表示モードが安定して遷移するようにしてもよい。
【００６７】
図１（Ａ）〜図１（Ｄ）で示したように電子時計１は、表示モードに対応した表示５Ａ〜５Ｄを行うことにより、ユーザーに対して電子時計が通常表示を行わない理由を適切な表示により知らせて、状況に応じて焼き付き防止を考慮した表示制御を行うことができる。
【００６８】
ここで、図１０（Ａ）〜図１０（Ｃ）は、図１に示した本実施形態に係る電子時計１の変形例を示す。図１０（Ａ）、図１０（Ｂ）については、それぞれ図１（Ａ）、図１（Ｂ）と同じであり説明を省略する。
【００６９】
図１０における電子時計１は、温度検出手段が設定温度範囲より高い温度を検出した場合に、第３モードを経由せずに第４モードに変化する。温度検出手段が設定温度範囲より高い温度を検出した場合、電子時計１の表示モードはＥＰＤ３の焼き付き防止のために単一色表示を行う第４モードに移る（Ｃ３Ａ）。図１０の変形例では、ＥＰＤ３の焼き付き防止の効果が図１の実施例よりも高い。ＥＰＤ３の焼き付きの可能性をより低くするために第３モードの警告表示までも行わないからである。
【００７０】
なお、図１０（Ｃ）の状態の電子時計１（第４モード）は、図１の実施例における電子時計１と同様に、予め設定された設定温度範囲内の温度を検出すること等の復帰条件を満たせば第１モードに遷移してもよい（Ｃ５）。また、第１モードに遷移するときに限らず、第４モード時における動作や性質は、図１の実施例における電子時計１と同様であってもよい。
【００７１】
１．２．表示モードの遷移図
１．２．１．通常動作時
図２（Ａ）は、図１に示した本実施形態に係る電子時計１が通常の機能を発揮する状態（通常動作時）における表示モードの遷移を表す図である。なお、本実施形態に係る電子時計１の表示モードの切り替えは、図３に示す表示制御回路１４、停止時間カウンター２３などの制御手段によって行われてもよい。
【００７２】
図２（Ａ）の表示モードである第１〜第４モード（Ｍ１〜Ｍ４）は、それぞれ図１（Ａ）〜図１（Ｄ）に対応する。電子時計１の制御手段は、第１〜第４モード（Ｍ１〜Ｍ４）において、それぞれ表示５Ａ〜５ＤをＥＰＤ３に表示させる。なお、表示モードの遷移Ｃ１〜Ｃ５は、図１のＣ１〜Ｃ５と同じである。
【００７３】
１．２．２．初期化動作時
図２（Ｂ）は、電子時計１のリセット時などに初期化動作が行われた場合の表示モードの遷移を表す図である。初期化モードＭ１１で初期化動作を行った後は第１モードに移る。電子時計１は、図２（Ａ）の通常動作時の表示モード（Ｍ１〜Ｍ４）に加えて、初期化動作だけを行う初期化モードＭ１１を含んでいてもよい。
【００７４】
本実施形態において、ＥＰＤ３は黒色の電気泳動粒子と白色の電気泳動粒子が分散した電気泳動粒子分散液がマイクロカプセルに封入された２色の粉体流体方式の電気泳動層を用いている。よって、少なくとも、第１色として黒色を、また、第２色として白色を表示することができる。なお、ＥＰＤ３の表示方式はセグメント方式でも、ＴＦＴ回路などを用いたドットマトリクス方式でもよい。
【００７５】
初期化モードＭ１１においては、例えばリセット信号が入力された後に、ＥＰＤ３の全面を黒の単一色表示にした後に、全面を白の単一色表示とする初期化動作が行われる（図８のＭ１１参照）。この動作により、ＥＰＤ３の全面においてマイクロカプセルが相反する状態をとるので、その後の通常表示においてコントラストが改善される。初期化動作の完了後、モードは第１モードに移り（Ｃ１１）、第１モードにおいては、例えば図１の表示５Ａのような通常表示が行われる。
【００７６】
１．３．電子時計の構成ブロック図
図３は、本実施形態における電子時計１のブロック図を表す。表示モードの切り替えは、例えば図３の構成によって実現可能である。
【００７７】
電子時計１は、図３に示すように、発振回路１１、分周回路１２、計時カウンター１３、表示制御回路１４、ＥＰＤ３、ボタン６（例えば、ボタンＢとボタンＣ）によりオン・オフが行われるスイッチ１５、１６、時刻修正回路１７、停止時間カウンター２３、温度センサー４１、温度検出回路４２を含む。ＥＰＤ３は図１のＥＰＤ３に対応する。なお、例えば太陽電池、充電制御回路、二次電池等を有していてもよいが、本実施形態では図外の一次電池を電源として用いているものとする。
【００７８】
発振回路１１は、水晶振動子やセラミック振動子等の基準発振源を高周波発振させ、基準発振信号を生成する。
【００７９】
分周回路１２は、発振回路１１で生成された基準発振信号を分周して所定の基準信号（例えば、１Ｈｚの信号）を生成する。
【００８０】
計時カウンター１３は、分周回路１２で生成された基準信号をカウントして現時刻を計時する。また、計時カウンター１３は、時刻修正回路１７から入力される時刻修正信号に基づいて、カウンター値つまり現時刻情報を修正してもよい。
【００８１】
表示制御回路１４は、表示モードが第１モード（図２のＭ１）であると判断した場合には、計時カウンター１３で計時された現時刻の情報に基づいてＥＰＤ３の表示を制御して通常表示（図１の５Ａ）を行う。
【００８２】
また、表示制御回路１４は、温度検出回路４２からの信号に基づいて表示モードが第２モード（図２のＭ２）であると判断した場合には、第１の視覚表現等をＥＰＤ３に表示させる第１の視覚表現表示処理を行う。本実施形態において、表示制御回路１４は、第２モードの場合にも計時カウンター１３で計時された現時刻の情報に基づいた時刻表示を行う（図１の５Ｂ）。
【００８３】
そして、表示制御回路１４は、温度検出回路４２からの信号に基づいて表示モードが第３モード（図２のＭ３）であると判断した場合には、第２の視覚表現をＥＰＤ３に表示させる第２の視覚表現表示処理を行う。その後、表示制御回路１４は、表示モードが第３モードになってからの経過時間を知らせる信号（例えば、停止時間カウンター２３からの制御信号）に基づいて、ＥＰＤ３の全面を単一色で表示（図１の５Ｄ）して画面の焼き付きを防止する。
【００８４】
また、表示制御回路１４は、温度検出回路４２からの信号に基づいて、表示モードが第２モード又は第４モードから第１モードへと復帰したと判断した場合にも、ＥＰＤ３の表示を制御して通常表示（図１の５Ａ）を行う。
【００８５】
スイッチ１５、１６は、図１のボタン６のうちボタンＢ、Ｃを押した際にそれぞれ入力される。なお、本実施形態ではボタンＢ、Ｃを対応させているが、この対応に限らない。スイッチ１５、１６は、受付手段であるボタンＢ、Ｃの入力を検出する入力検出手段として機能する。
【００８６】
時刻修正回路１７は、各スイッチ１５、１６からの信号、つまり各ボタンＢ、Ｃの入力操作に基づき、時刻修正信号を計時カウンター１３に出力する。
【００８７】
ここで、各スイッチ１５、１６からの信号は表示制御回路１４にも入力されてもよい。
表示制御回路１４は、各ボタンＢ、Ｃの所定の操作を検出し、例えばワールドタイムで指定都市が変更されたことを判定してＥＰＤ３の表示を制御してもよい（図６（Ａ）参照）。
【００８８】
なお、スイッチの数は２つに限らず、更にボタンＡに対応するスイッチがあってもよい。そして、そのスイッチからの信号も計時カウンター１３、表示制御回路１４に入力されてもよい。
【００８９】
温度センサー４１は、電子時計１が使用される環境の温度（使用環境温度）を検出するセンサーである。温度センサー４１により本発明の温度検出手段が構成される。温度センサー４１は電子時計１の使用環境温度を直接的、又は間接的に検出する。温度センサー４１はＥＰＤ３の表面温度を測定してもよいし、電子時計１の周囲の温度を測定してもよい。また、温度センサー４１は電子時計１の一部の内部温度を測定し、温度検出回路４２等がその内部温度から電子時計１の使用環境温度を計算してもよい。
【００９０】
温度検出回路４２は、温度センサー４１で検出された温度を表示制御回路１４（又は、停止時間カウンター）が要求する形式の信号に変換して出力する。例えば、温度検出回路４２は所定の閾値（例えば、設定温度範囲の上限値や下限値）を超えているか否かを判定し、結果に応じた表示モードへの移行を要求する信号を表示制御回路１４、停止時間カウンター２３に出力してもよい。また、例えば測定された温度情報自体を表示制御回路１４、停止時間カウンター２３に出力してもよい。
【００９１】
停止時間カウンター２３は、温度検出回路４２からの信号に基づいて第３モード（図２のＭ３）であると判断した場合には、第４モード（図２のＭ４）に移る時間を測るのに用いるカウンターを動作させる。停止時間カウンター２３は、例えばカウンターの値を表示制御回路１４に出力してもよいし、カウンターの値に基づいて表示モードが第３モードから第４モードへと移るタイミングを知らせる制御信号を表示制御回路１４に出力してもよい。なお、停止時間カウンター２３は、分周回路１２からのクロック（例えば１Ｈｚのクロック）を入力してカウンターを動作させてもよい。
【００９２】
１．４．フローチャート図
１．４．１．計時処理
図４は、本実施形態に係る電子時計１の制御のフローチャート図である。まず、計時処理に関連するＳ２０からＳ３０について説明する。
【００９３】
計時カウンター１３は、分周回路１２から基準信号（例えば１Ｈｚ）の入力があるか、つまり秒カウントがあるかを判定する（Ｓ２０）。
【００９４】
Ｓ２０で秒カウントがなかった場合は、サブルーチン外部入力処理Ｓ５０が実行され、その後処理が続行される。外部入力処理Ｓ５０については後に説明する。
【００９５】
一方、Ｓ２０で秒カウントがあった場合、つまり基準信号が入力された場合、計時カウンター１３はカウントアップする（Ｓ２２）。
【００９６】
次に、計時カウンター１３は分桁上げが行われたか否かを判定する（Ｓ３０）。すなわち、計時カウンター１３の秒カウンターが６０秒に達し、分カウンターをカウントアップした時点で、分桁上げが行われたと判定される。
【００９７】
ここで、分桁上げが行われなかった場合、Ｓ２０に戻り、上記の処理を繰り返す。
【００９８】
１．４．２．表示モード制御
一方、Ｓ３０で分桁上げが行われた場合、以下の表示モードに関するステップが行われる。ここからは図２の表示モードの遷移に沿って説明をする。なお、表示停止モード（Ｓ９０Ａ）は第４モードに対応し、このときＥＰＤ３は単一色で表示されている（図１の５Ｄ）。また、低温表示モード（Ｓ９０Ｂ）は第２モードに対応し、このときＥＰＤ３は低温の警告等を表示している（図１の５Ｂ）。そして、高温の警告を表示（Ｓ９４Ａ）は第３モードに対応し、図１の５Ｃのような表示がなされている。
【００９９】
１．４．２．１．第１モード
電子時計１の表示モードが第１モード、すなわち通常表示モードである場合（Ｓ９０ＡのＮ、Ｓ９０ＢのＮ）、分桁上げに応じて時刻、ワールドタイムが更新される（Ｓ６２）。
【０１００】
次に、温度検出回路４２は、温度センサー４１で測定された温度ｔが閾値ｔ２よりも高いかを判定する（高温判定、Ｓ９２Ａ）。温度ｔが閾値ｔ２以下であって高温判定をパスした場合は（Ｓ９２ＡのＮ）、温度ｔが閾値ｔ１未満であるかを判定する（低温判定、Ｓ９２Ｂ）。温度ｔが閾値ｔ１以上であって低温判定もパスした場合は（Ｓ９２ＢのＮ）、表示モードは第１モードのままであり、Ｓ２０に戻る。ここで、閾値ｔ２は電子時計１の使用温度範囲における高温側の境界温度（例えば６０℃）であってもよく、閾値ｔ１は低温側の境界温度（例えば−１０℃）であってもよいが、これらに限るものではない。
【０１０１】
１．４．２．２．第１モードから第２モードへの遷移
電子時計１の表示モードが第１モードから第２モードへと変化するのは、温度検出回路４２による低温判定でパスしなかった場合、すなわち温度ｔが閾値ｔ１未満（Ｓ９２ＢのＹ）の場合である。このとき、表示制御回路１４はＥＰＤ３に低温の警告と時刻を表示させる（Ｓ９４Ｂ）。そして、電子時計１の表示モードは第２モード（低温表示モード）に設定されて（Ｓ９６Ｂ）、Ｓ２０に戻る。
【０１０２】
１．４．２．３．第２モード
電子時計１の表示モードが第２モード（低温表示モード）の場合（Ｓ９０ＢのＹ）にも、分桁上げに応じて時刻が更新される（Ｓ６４）。ただし、第１モードと異なり、ワールドタイムとキーガイダンスは表示されずに低温の警告が表示されている（図１の５Ｂ参照）。
【０１０３】
１．４．２．４．第２モードから第１モードへの遷移
次に、温度検出回路４２は、温度センサー４１で測定された温度ｔが閾値ｔ１＋Ａ１以上となったかを判定する（低温側復帰判定、Ｓ９８Ｂ）。温度ｔが閾値ｔ１＋Ａ１未満であって低温側復帰判定をパスしない場合には、再びＳ２０に戻る（Ｓ９８ＢのＮ）。逆に、温度ｔが閾値ｔ１＋Ａ１以上であって低温側復帰判定をパスした場合には（Ｓ９８ＢのＹ）、表示制御回路１４は時刻と、低温の警告に代えてワールドタイムとキーガイダンスとをＥＰＤ３に表示させる（Ｓ１４Ｂ）。そして、電子時計１の表示モードは第２モードから第１モードへと移り（低温表示モードを解除、Ｓ１００Ｂ）、Ｓ２０に戻る。
【０１０４】
ここで、低温側復帰判定において、閾値は低温判定と同じｔ１ではなく、ノイズの影響等を避けるためにｔ１にヒステリシスを持たせたｔ１＋Ａ１である方が好ましい。例えば、ｔ１が−１０℃である場合にＡ１として５℃を選択すれば、低温側復帰判定における閾値は−５℃である。温度ｔが−１０℃付近でゆらぐ場合でも、表示モードが第１モードと第２モードの間でたびたび遷移しＥＰＤ３の表示が不安定となる状態を避けることができる。
【０１０５】
１．４．２．５．第１モードから第３モードへの遷移
電子時計１の表示モードが第１モードから第３モードへと変化するのは、温度検出回路４２による高温判定でパスしなかった場合、すなわち温度ｔが閾値ｔ２より高い（Ｓ９２ＡのＹ）場合である。このとき、表示制御回路１４はＥＰＤ３に高温の警告を表示させる（Ｓ９４Ａ）。このとき、電子時計１の表示モードは第３モードとなる。
【０１０６】
１．４．２．６．第３モードから第４モードへの遷移
電子時計１の表示モードが第３モードとなって１分経過すると（Ｓ６８）、表示制御回路１４はＥＰＤ３の全面に白を単一色表示させる（Ｓ７０）。そして、電子時計１の表示モードは第４モード（表示停止モード）に設定されて（Ｓ９６Ａ）、Ｓ２０に戻る。
【０１０７】
１．４．２．７．第４モードから第１モードへの遷移
電子時計１の表示モードが第４モード（表示停止モード）の場合（Ｓ９０ＡのＹ）、温度検出回路４２は、温度センサー４１で測定された温度ｔが閾値ｔ２−Ａ２以下となったかを判定する（高温側復帰判定、Ｓ９８Ａ）。温度ｔが閾値ｔ２−Ａ２よりも高く、高温側復帰判定をパスしない場合には、再びＳ２０に戻る（Ｓ９８ＡのＮ）。逆に、温度ｔが閾値ｔ２−Ａ２以下であって高温側復帰判定をパスした場合には（Ｓ９８ＡのＹ）、表示制御回路１４は時刻とワールドタイムとキーガイダンスとをＥＰＤ３に表示させる（Ｓ１４Ａ）。そして、電子時計１の表示モードは第４モードから第１モードへと移り（表示停止モードを解除、Ｓ１００Ａ）、Ｓ２０に戻る。
【０１０８】
ここで、高温側復帰判定においても、低温側復帰判定と同様に、閾値は高温判定と同じｔ２ではなくヒステリシスを持たせたｔ２−Ａ２である方が好ましい。例えば、ｔ２が６０である場合にＡ２として５℃を選択すれば、高温側復帰判定における閾値は５５℃である。温度ｔが６０℃付近でゆらぐ場合でも、表示モードが第１モード、第３モード、第４モードの間で頻繁に遷移しＥＰＤ３の表示が不安定となる状態を避けることができる。
【０１０９】
１．５．フローチャート図（変形例）
図５は、本実施形態の変形例に係る電子時計１の制御のフローチャート図である。この変形例では第３モードと第４モードは含まれない。よって、高温判定、高温側復帰判定は行われない。
【０１１０】
図５では、図４と同じステップについては同じ番号を付して説明を省略し、相違点のみを説明する。本実施形態の変形例に係る電子時計１の制御のフローチャートでは、Ｓ３０で分桁上げが行われた場合に（Ｓ３０Ｙ）、すぐに第２モード（低温表示モード）であるか否かが判断される（Ｓ９０Ｃ）。また、電子時計の表示モードが第１モードの場合に（Ｓ９０ＣのＮ）、時刻等を更新（Ｓ６２）した後で低温判定（Ｓ９２Ｃ）のみが行われる。その他のステップは図４と同じである。この変形例では、低温判定、低温側復帰判定に限ることにより必要な回路を簡素化でき、しかも低温時にも時刻等を継続して表示できる利便性の高い電子時計を提供することができる。
【０１１１】
１．６．受付手段
図６（Ａ）〜（Ｃ）は、操作を受け付ける受付手段の一つであるＢボタン（図１のボタン６のひとつ）についての機能例を示す図である。図６（Ａ）は電子時計の表示モードが第１モードの場合を、図６（Ｂ）は第２モードの場合を、図６（Ｃ）は第３モードの場合を示す。
【０１１２】
図６（Ａ）は、通常表示モード（第１モード）においてワールドタイムが表示されており、ボタンＢを押す度にワールドタイムの都市が昇順で変化する例である。Ｂボタンを押す前はワールドタイムの都市はＬＯＮＤＯＮであるが、ボタンＢを押した後にはＭＯＳＣ
ＯＷに変化している。第１モードにおいて、受付手段であるＢボタンに期待される機能は、都市名と現地時刻の変更であり、これによりＥＰＤ３の画面は表示５Ａから表示５Ｇへと表示態様が変化する。また、例えば背景が変化したり、反転表示になったりする表示形式の変更等を伴ってもよい。
【０１１３】
しかし、図６（Ｂ）は表示モードが第２モードであり、ＥＰＤ３には低温の警告が表示されている（５Ｂ）。そして、低温時にはＥＰＤの特性から、画面の再描画に時間がかかる。そのため、第１モードのように表示の変更を要求する入力が行われた場合には、ユーザーは画面の変化があまりに遅いために故障していると誤解する可能性がある。
【０１１４】
そのため、本実施形態では表示モードが第２モードの場合には、図６（Ｂ）のようにＢボタンが押されても画面変更の要求は受け付けられず、画面５Ｂに変化は生じない。
【０１１５】
図６（Ｃ）は、表示モードが第３モードであり、ＥＰＤ３には高温の警告が表示されている（５Ｃ）。そして、高温時においてはＥＰＤ３に焼き付きが生じる可能性が高い。そのため、第１モードのように表示の変更等を要求する入力が行われた場合に、それを受け付けることで単一色表示を行う（第４モードに移行する）までの時間が遅延することがあると、ＥＰＤ３に焼き付きが生じて電子時計の品質劣化を招く。
【０１１６】
そのため、本実施形態では表示モードが第３モードの場合にも、図６（Ｃ）のようにＢボタンが押されても画面変更の要求は受け付けられず、画面５Ｃに変化は生じない。なお、単一色表示を行う第４モードにおいても第３モードと同様の理由から、Ｂボタンが押されても画面変更の要求は受け付けられず、表示画面に変化は生じない。また、ここではＢボタンを用いて例示したが、ＡボタンやＣボタンについても同様である。
【０１１７】
本実施例においては、画面の変化の有無にかかわらず、電子時計１の表示モードが第２〜第４モードの場合には、ボタンによる要求動作を受け付けないものとしている。ただし、電子時計１の表示モードが第２〜第４モードであっても、画面に変化が生じないか、又は生じてもユーザーが電子時計の故障と捉える可能性が低いものについてはボタンによる要求動作を受け付けても構わない。例えば、アラームを停止させるためのボタン操作は、画面表示と関係がないため受け付けてもよい。
【０１１８】
１．７．フローチャート図（外部入力処理）
図７は、本実施形態の電子時計１の外部入力処理についてのフローチャート図である。図４、図５の外部入力処理Ｓ５０に対応する。本実施形態では図６の例示の通り、操作を受け付ける受付手段として外部入力であるボタン６（図１）が用いられる。また、ボタン６においてはボタンＡ〜Ｃでフローチャート上の扱いに差はなく、すべて図７のフローチャートに従う。
【０１１９】
まず、外部入力の有無が判断される（Ｓ５００）。本実施形態では、外部入力とはボタン６（ボタンＡ〜Ｃ）を押すことが対応する。ボタン６が押されない場合には、表示制御回路１４は特に処理を行わない（Ｓ５００Ｎ）。
【０１２０】
ボタン６が押されると（Ｓ５００Ｙ）、表示制御回路１４は低温表示モード（図２の第２モードＭ２）であるかどうかを判断する（Ｓ５０２）。低温表示モードである場合にも、表示制御回路１４は特に処理を行わない（Ｓ５０２Ｙ）。ユーザーからの外部操作を受け付けた場合、反応が遅いために故障との誤認を生じさせるからである。
【０１２１】
低温表示モードでない場合には（Ｓ５０２Ｎ）、表示制御回路１４は高温表示モード（図２の第３モードＭ３）であるかどうかを判断する（Ｓ５０４）。高温表示モードである
場合にも、表示制御回路１４は特に処理を行わない（Ｓ５０４Ｙ）。ユーザーからの外部操作を受け付けることで単一色表示を行う（図２の第４モードＭ４に移行する）までの時間が遅延すると、ＥＰＤ３に焼き付きが生じて電子時計の品質劣化を招く恐れがあるからである。
【０１２２】
高温表示モードでない場合には（Ｓ５０４Ｎ）、表示制御回路１４は表示停止モード（図２の第４モードＭ４）であるかどうかを判断する（Ｓ５０６）。表示停止モードである場合にも、高温表示モードである場合と同様の理由により、表示制御回路１４は特に処理を行わない（Ｓ５０６Ｙ）。
【０１２３】
表示停止モードでない場合には（Ｓ５０６Ｎ）、表示モードは通常表示モード（図２の第１モードＭ１）である。このとき、押されたボタンに応じた処理（Ｓ５０８）が行われて外部入力処理が完了する。押されたボタンに応じた処理は、例えばワールドクロックでＢボタンが押されたので都市を一つ進めて、その都市の時刻を表示することである（図６（Ａ）参照）。
【０１２４】
このように、本実施形態では通常表示モード以外の表示モードではボタンが押されても何ら処理を行わないので、ユーザーに電子時計１が故障したという疑念を生じさせず、表示画面の焼き付きも防止できる。
【０１２５】
なお、本実施形態の変形例として、高温表示モードおよび表示停止モードの少なくとも一方は、ボタンが押されたことに対して所与の処理を行ってもよい。例えば、表示停止モードにおいてボタンが押された場合には、一定時間（例えば、数秒の間）は高温表示モードと同じ警告を表示する処理を行い、ユーザーに対して設定温度範囲内で使用するように促してもよい。また、例えば高温表示モードにおいてボタンが押された場合には、強制的に表示停止モードに移行する処理を行ってもよい。これらの変形例では、図７のフローチャートからＳ５０４およびＳ５０６の少なくとも一方が取り除かれたフローチャートが用いられることになる。
【０１２６】
２．第２実施形態
本発明の第２実施形態について図８を参照して説明する。なお、第１実施形態と同様の構成については、同一符号を付して説明を省略し、相違する部分について説明する。
【０１２７】
図８は、本実施形態における電子時計の表示例を示し、同時に、初期化モードＭ１１を含む表示モードの遷移を図示したものである。
【０１２８】
本実施形態と第１実施形態との差異は、低温側復帰判定をパスして（図４  Ｓ９８ＢのＹ）第１モードに移る場合（Ｃ２Ａ）には、初期化モードＭ１１を経由し、黒の単一色表示５Ｅと白の単一色表示５Ｆが最低１回づつ行われることである。単一色表示の順番は白の単一色表示が先でも（Ｃ１１１）、黒の単一色表示が先であっても（Ｃ１１０）よい。また、遷移Ｃ１１０、Ｃ１１１を複数回繰り返しても構わない。初期化モードＭ１１を経て通常表示５Ａを行うことにより、第２モードの表示において、例えばコントラストが低下していたり、残像・焼き付きを生じ得る表示がされていたりしても、通常表示には影響を与えることがない。
【０１２９】
同様に、本実施形態において高温側復帰判定をパスして（図４  Ｓ９８ＡのＹ）第１モードに移る場合（Ｃ５Ａ）にも、初期化モードＭ１１を経由してもよい。
【０１３０】
なお、本実施形態において、その他の部分については第１実施形態と同様である。
【０１３１】
３．その他
なお、前記各実施形態では、ＥＰＤ３に通常の表示を行わない理由を文字（メッセージ）で表示しているが、前記の通り、アイコンや図形、色彩、フラグといった視覚表現で表示してもよい。すなわち、ユーザーが通常表示でない理由を把握できる内容を表示すればよい。
【０１３２】
前記各実施形態では、ＥＰＤ３は、黒粒子および白粒子による白黒二粒子系の電気泳動が行われるものでもよいし、青白等の一粒子系の電気泳動を行っても良く、また、白黒以外の組み合わせでも構わない。
【０１３３】
そして、メモリー性の表示手段は、ＥＰＤ３に限定されず、他のメモリー性を有するディスプレイでもよい。例えば、ＥＣＤ（Electrochromic Display＝エレクトロクロミックディスプレイ）、強誘電性液晶ディスプレイ、コレステリック液晶ディスプレイ等でもよい。
【０１３４】
さらに、本発明の電子時計は、腕時計に限らず、置き時計、掛け時計、懐中時計などの時計機能を有する機器に広く適用できる。
【０１３５】
これらの例示に限らず、本発明は、実施の形態で説明した構成と実質的に同一の構成（例えば、機能、方法および結果が同一の構成、あるいは目的および効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【０１３６】
１…電子時計、２…ケース、３…ＥＰＤ（電気泳動表示装置）、５Ａ…（通常）表示、５Ｂ〜５Ｇ…表示、６…ボタン、１１…発振回路、１２…分周回路、１３…計時カウンター、１４…表示制御回路、１５…スイッチ、１６…スイッチ、１７…時刻修正回路、２３…停止時間カウンター、４１…温度センサー、４２…温度検出回路、Ｍ１…第１モード、Ｍ２…第２モード、Ｍ３…第３モード、Ｍ４…第４モード、Ｍ１１…初期化モード
【図１】
0005534277.tif 000002
【図２】
0005534277.tif 000003
【図３】
0005534277.tif 000004
【図４】
0005534277.tif 000005
【図５】
0005534277.tif 000006
【図６】
0005534277.tif 000007
【図７】
0005534277.tif 000008
【図８】
0005534277.tif 000009
【図９】
0005534277.tif 000010
【図１０】
0005534277.tif 000011